(57)【特許請求の範囲】
【請求項１】
地盤面としての基盤と、
前記基盤の底面の一部分を囲むように、前記底面上に載置される壁面部材と、
前記壁面部材の壁面と前記底面との境界部を覆う被膜部材とを備え、
前記壁面部材のうち前記底面に接触する最下面と前記底面とは直接固着されておらず、
前記被膜部材は、前記壁面に囲まれた前記底面の一部を露出するように、前記壁面に隣接する前記底面の一部の領域のみを覆う、支持構造体。
【請求項２】
前記被膜部材は、水に対して不透性を有する材料からなる、請求項１に記載の支持構造体。
【請求項３】
地盤面としての基盤の底面の一部分を囲むように、前記底面上に壁面部材を載置する工程と、
前記底面と前記壁面部材の壁面との境界部を覆うように被膜部材を配置する工程とを備え、
前記載置する工程においては、前記壁面部材のうち前記底面に接触する最下面と前記底面とは直接固着されないように前記壁面部材が載置され、
前記被膜部材は、前記壁面に囲まれた前記底面の一部を露出するように、前記壁面に隣接する前記底面の一部の領域のみを覆うように配置される、支持構造体の製造方法。
【発明の詳細な説明】
【技術分野】
【０００１】
本発明は、支持構造体およびその製造方法に関するものである。
【背景技術】
【０００２】
従来の支持構造体の一例である水泳用のプールおよびその施工方法は、たとえば特開２００３−３４３１０１号公報（特許文献１）に開示されている。特開２００３−３４３１０１号公報に開示されるプールは、プールの内壁体を形成する縦板部と、この縦板部の上部に設けられたプールサイド形成部とを一体に有する自立式のプレキャストコンクリート部材が複数形成される。当該プールは、これら複数のプレキャストコンクリート部材を並べてプールの内壁体が形成されている。
【０００３】
またたとえば特開昭６３−１１５０９７号公報（特許文献２）には貯蔵プール等の施工方法が開示されている。特開昭６３−１１５０９７号公報に開示される貯蔵プールは、以下の施工方法により形成される。型枠兼用ライニング材が内型枠としてボルトナットで連結して枠組みされる。内型枠の外側に外型枠が枠組みされる。その後、側面の孔とライニングの背面の孔とを覆うようにボックスが枠体に設けられる。ボックスの外周囲が気密に溶接された後、内型枠と外型枠との間にコンクリートが打設される。最後に型枠を外してプールとしての容器が形成される。
【先行技術文献】
【特許文献】
【０００４】
【特許文献１】特開２００３−３４３１０１号公報
【特許文献２】特開昭６３−１１５０９７号公報
【発明の概要】
【発明が解決しようとする課題】
【０００５】
しかし上記の特開２００３−３４３１０１号公報および特開昭６３−１１５０９７号公報においては、底面の部分とそこからほぼ垂直に延びる側面の部分との双方を有する、容器状の構造体が形成される。このような容器状の構造体がコンクリートで形成される。このため形成される構造体の重量が増加し、コストが高騰するという問題がある。
【０００６】
本発明は上記の課題に鑑みなされたものである。その目的は、低コストで充分な機能を有するプールなどの支持構造体、およびその製造方法を提供することである。
【課題を解決するための手段】
【０００７】
本開示に従った支持構造体は、地盤面としての基盤と、壁面部材と、被膜部材とを備える。壁面部材は基盤の底面の一部分を囲むように、底面上に載置される。被膜部材は壁面部材の壁面と底面との境界部を覆う。壁面部材のうち底面に接触する最下面と底面とは直接固着されていない。被膜部材は、壁面に囲まれた底面の一部を露出するように、壁面に隣接する底面の一部の領域のみを覆う。
本開示に従った支持構造体は、壁面部材と、被膜部材とを備える。壁面部材は底面の一部分を囲むように、底面上に載置される。被膜部材は壁面部材の壁面と底面との境界部を覆う。
【０００８】
本開示に従った支持構造体の製造方法においては、地盤面としての基盤の底面の一部分を囲むように、底面上に壁面部材が載置される。底面と壁面部材の壁面との境界部を覆うように被膜部材が配置される。載置する工程においては、壁面部材のうち底面に接触する最下面と底面とは直接固着されないように壁面部材が載置される。被膜部材は、壁面に囲まれた底面の一部を露出するように、壁面に隣接する底面の一部の領域のみを覆うように配置される。
本開示に従った支持構造体の製造方法においては、底面の一部分を囲むように、底面上に壁面部材が載置される。底面と壁面部材の壁面との境界部を覆うように被膜部材が配置される。 
【発明の効果】
【０００９】
本開示に従えば、壁面部材が底面上に載置され、被膜部材で覆われるだけで、支持構造体が形成される。このため本開示に従えば、構造体として壁面部材および被膜部材のみを形成することにより、構造体として底面部材を準備することなく、プールなどの支持構造体を提供できる。このため支持構造体の構成要素として底面部材を要する場合に比べて、支持構造体の製造工程を簡略化し、コストを大幅に削減できる。また本開示に従えば、壁面部材の壁面と底面との境界部が被膜部材で覆われる。つまり壁面部材は底面から離れないよう密着する。このため支持構造体の容積部分に水が収納された際に水が壁面部材の壁面と底面との境界部へ漏れ、それにより壁面部材に上向きの浮力が生じる不具合が生じない。したがって壁面部材が浮力で底面から浮き、それにより支持構造体の容積部分内の水が壁面部材の真下の部分に流入し漏れる不具合を抑制できる。以上より、壁面部材および被膜部材のみにより、プールなどの支持構造体が製造できる。
【図面の簡単な説明】
【００１０】
【図１】本実施の形態に係る支持構造体の構成を示す概略断面図である。
【図２】本実施の形態の壁面部材の変形例を示す概略斜視図である。
【図３】本実施の形態の支持構造体の製造方法を概略的に示すフローチャートである。
【図４】本実施の形態の第１の変形例に係る支持構造体の構成を示す概略断面図である。
【図５】本実施の形態の第２の変形例に係る支持構造体の構成を示す概略断面図である。
【図６】比較例に係る支持構造体の構成を示す概略断面図である。
【発明を実施するための形態】
【００１１】
以下、図面を参照しながら本発明の実施の形態について説明する。
図１は、本実施の形態に係る支持構造体の構成を示す概略断面図である。図１を参照して、本実施の形態に係る支持構造体１０は、たとえば水泳用のプールの構造体である。ただし支持構造体１０は、たとえば魚の養殖用に用いられる水の貯蔵用のプールであってもよい。
【００１２】
支持構造体１０は、一般公知の基盤１の表面である底面１ａ上に形成されている。基盤１は、たとえば一般公知の締め固められた地盤面、またはコンクリートである。ただし基盤１は、一般公知の締め固められた地盤面、またはコンクリートに限られない。たとえば基盤１は、地面上に捨石を敷き均した捨石層を設け、その捨石層の上に川砂などを転圧して転圧砂層を設けることにより、これら捨石層と転圧砂層とからなるように形成されてもよい。その他の任意の、基盤１として充分な強度を有するものとすることが可能な材質により基盤１が形成されてもよい。
【００１３】
支持構造体１０においては、基盤１の底面１ａの一部分を平面視において囲むように、底面１ａ上に壁面部材２が載置されている。ここで平面視において囲むとは、底面１ａを上側から見たときに、底面１ａの一部分を周囲から覆うことを意味する。
【００１４】
壁面部材２は、たとえば平面視において矩形の環状または円環形状を有する部材である。壁面部材２は、その外側を向く壁面である外壁２ｓの、図１の左右方向に沿う間隔がＷ１である。壁面部材２は、その内側を向く壁面である内壁２ａの、図１の左右方向に沿う間隔がＷ２である。このため壁面部材２の図１の左右方向に沿う厚みはおよそ（Ｗ１−Ｗ２）／２である。また壁面部材２の、載置される底面１ａにほぼ垂直な方向、すなわち図１の上下方向の寸法はＴである。壁面部材２は、その最下面２ｂが底面１ａに接触するように、底面１ａ上に載置されている。より具体的には、たとえば上記のＷ２の値は１．５ｍ以上２ｍ以下、Ｔの値は８０ｃｍ以上９０ｃｍ以下であることが好ましい。あるいはたとえば支持構造体１０が競技用のプールである場合、たとえば上記のＷ２の値は２５ｍ以上５０ｍ以下であってもよく、１５ｍ以上２５ｍ以下であってもよい。あるいは当該Ｗ２の値は１０ｍ以上２０ｍ以下であってもよい。上記のＴの値は１ｍ以上５ｍ以下であってもよいし、２ｍ以上５ｍ以下であっても、３ｍ以上５ｍ以下であってもよい。さらにたとえば支持構造体１０が競技用のプールである場合、たとえば上記のＷ２に垂直な図１の紙面奥行方向の１対の壁面２ａの間隔は２５ｍ以上５０ｍ以下であってもよく、１５ｍ以上２５ｍ以下であってもよい。あるいは当該１対の壁面２ａの間隔は１０ｍ以上２０ｍ以下であってもよいし、２０ｍ以上３０ｍ以下であってもよい。
【００１５】
壁面部材２は、たとえば一般公知のコンクリート材料、木材、鉄材などの建築物に用いられる任意の材料により形成することができる。ただし壁面部材２は、たとえば以下の構成であってもよい。図２は、本実施の形態の壁面部材の変形例を示す概略斜視図である。図２を参照して、壁面部材２は、たとえばコンクリート壁４２の、外側を向く側面および内側を向く側面の双方にパネル材４１が１つずつ設けられた構成であってもよい。パネル材４１は、板材４１ａの一方の面に断熱部材４１ｂが貼り付けられた構成であることが好ましい。すなわちパネル材４１は断熱部材を含むことが好ましい。板材４１ａの材質として、比較的硬度が高く硬い材質のものが適用される。断熱部材４１ｂには、所定の位置に断熱部材を貫通する開口部が形成されていることが好ましい。パネル材４１としては、断熱部材４１ｂを有するものに限られるものではなく、断熱部材４１ｂを有していない板材４１ａのみのようなパネル材であってもよい。壁面部材２としては、以上のコンクリート材料、木材、鉄材、および図２の断熱部材を含むパネル材が設けられた部材の４種類のいずれかが、製造しようとする支持構造体１０の価格および用途に応じて使い分けられる。
【００１６】
再度図１を参照して、支持構造体１０においては、壁面部材２の壁面と、底面１ａとの境界部２ｃを覆うように被膜部材３が備えられている。被膜部材３は、壁面部材２の壁面のうち特に内壁２ａと、特に壁面部材２に囲まれる領域の底面１ａの一部分との境界部２ｃを覆うように配置されている。境界部２ｃは、壁面部材２と同様に、たとえば矩形環状または円環形状の平面形状を有する。この矩形環状または円環形状の境界部２ｃの全体を覆うように、被膜部材３が配置されている。
【００１７】
被膜部材３は、水に対して不透性を有する材料からなることが好ましい。具体的には、被膜部材３は、一般公知のシリコーンコーキングが塗布されたもの、ビニールの膜、塗装膜、シート、スプレーにより形成された薄膜からなる群から選択されるいずれかであることが好ましい。たとえば塗装膜として、塗布後およそ３０分で膜として固化することにより簡単に供給できる材料が用いられることが好ましい。被膜部材３は、その厚みが１ｍｍ以下であることが好ましい。被膜部材３として、たとえば一般公知のＰＶＣ（ポリ塩化ビニル）、ＰＶＢ（ポリビニルブチラール）、アクリル樹脂、フッ素樹脂およびＧＲＰ（ガラス繊維強化プラスチック）からなる群から選択されるいずれか少なくとも１つを用いることができる。あるいは被膜部材３として、上記の各材料の代わりに、シリコン膜およびウレタン膜（ウレタンゴム膜）の少なくともいずれかが用いられてもよい。
【００１８】
以上のように形成される支持構造体１０において、壁面部材２の内壁２ａと、これに囲まれる基盤１の底面１ａとに囲まれるように形成される空間内には、水４を貯めることができる。
【００１９】
次に、図３を用いて、本実施の形態の支持構造体の製造方法について説明する。図３は、本実施の形態の支持構造体の製造方法を概略的に示すフローチャートである。図３を参照して、まず底面上に壁面部材が載置される（Ｓ１０）。具体的には、基盤１の底面１ａの一部分を囲むように、底面１ａ上に壁面部材２を載置する工程である。
【００２０】
壁面部材２は、たとえば平面視において矩形状に載置される場合には、中央部に空洞が形成された矩形の環状を有する単一の部材として準備されてもよい。あるいは壁面部材２は、たとえば平面視において矩形状に載置される場合には、矩形の平板形状を有する部材が４つ準備され、それらが矩形の底面のそれぞれの辺の部分に独立に設置されてもよい。また壁面部材２は、たとえば平面視において円環形状に載置される場合には、中央部に空洞が形成された円環形状を有する単一の部材として準備されてもよい。あるいは壁面部材２は、たとえば平面視において円環形状に載置される場合には、たとえば平面視において半円弧状を有する部材が２つ準備されてもよい。
【００２１】
このようにして準備された壁面部材２が、図１のように最下面２ｂが底面１ａに接触するように、底面１ａ上に載置される。なお壁面部材２として矩形または半円弧状の部材が複数準備された場合には、これらが接触し合うことで単一の矩形環状または円環状の壁面部材２を形成するように複数の部材が載置される。このとき複数の部材のうち隣り合う部材同士は接触し合う態様となる。複数の部材の接触部は気密に接合されてもよい。たとえば接着剤、シリコーンコーキングなどの接合材を介して、複数の部材の接触部を接合してもよい。
【００２２】
次に、底面と壁面との境界を覆う被膜部材が配置される（Ｓ２０）。具体的には、底面１ａと壁面部材２の壁面としての内壁２ａとの境界部２ｃを覆うように、上記の材質からなる被膜部材３が配置される工程である。
【００２３】
たとえば中央部に空洞が形成された矩形または円形の環状を有する単一の部材として壁面部材２が準備、載置された場合には、底面１ａと当該壁面部材２の内壁２ａとの境界部２ｃの全体を覆うように、被膜部材３が供給される。また壁面部材２としてたとえば矩形または半円形状の部材が複数準備、載置された場合には、底面１ａと当該壁面部材２の内壁２ａとの境界部２ｃに加え、複数の当該部材間の接触部の最も内壁側を構成する部分にもその全体を覆うように被膜部材３が供給されてもよい。壁面部材２としてたとえば矩形または半円形状の部材が複数準備、載置された場合、その複数の部材間の接触部の最も内壁側を構成する部分に、ビニールの膜、シート、接着剤などで、壁面部材２と底面１ａとが固定されてもよい。
【００２４】
被膜部材３は、少なくとも上記の境界部２ｃの領域に供給されることが好ましい。たとえば壁面部材２の内壁２ａの表面上、およびこれに囲まれる底面１ａの表面上には、被膜部材３が供給されてもされなくてもよい。たとえば図１においては、内壁２ａおよび底面１ａのうち、内壁２ａと底面１ａとの境界部２ｃに隣接する領域のみに、境界部２ｃ上の被膜部材３に連なるように、被膜部材３が配置されている。この被膜部材３は、たとえば支持構造体１０の壁面部材２に囲まれた容積部分の寸法Ｗ２の５％以上１５％以下の寸法分だけ図の左右方向に形成されることが好ましく、その中でも特に当該寸法Ｗ２の７％以上１２％以下の寸法分だけ図の左右方向に形成されることが好ましい。同様に、被膜部材３は、たとえば支持構造体１０の壁面部材２に囲まれた容積部分の高さ方向の寸法Ｔの５％以上１５％以下の寸法分だけ図の左右方向に形成されることが好ましく、その中でも特に当該寸法Ｗ２の７％以上１２％以下の寸法分だけ図の左右方向に形成されることが好ましい。
【００２５】
図４は、本実施の形態の第１の変形例に係る支持構造体の構成を示す概略断面図である。図４を参照して、当該支持構造体１１の構成は基本的に上記支持構造体１０の構成と同様であるため、同一の構成要素には同一の符号を付しその説明を繰り返さない。ただし支持構造体１１においては、被膜部材３が、壁面部材２の内壁２ａに囲まれる底面１ａの表面上のほぼ全面に形成されている。この点において支持構造体１１は、当該底面１ａの表面上のごく一部の領域のみに被膜部材３が形成される支持構造体１０とは構成上異なっている。このように底面１ａの表面上のほぼ全面に被膜部材３が形成されてもよい。
【００２６】
この被膜部材３による接着力により、内壁２ａと、それに囲まれた底面１ａとの境界部の内側に空間が形成された支持構造体１０が形成される。なお支持構造体１０は、その内部の空間に図１のように水４が充填されることにより、水泳用または貯蔵用のプールとして用いることができる。
【００２７】
図５は、本実施の形態の第２の変形例に係る支持構造体の構成を示す概略断面図である。図５を参照して、当該支持構造体１２の構成は基本的に上記支持構造体１０の構成と同様であるため、同一の構成要素には同一の符号を付しその説明を繰り返さない。ただし支持構造体１２のように、基盤１の上側の表面上にシート１ｂが乗せられてもよい。この場合、当該シート１ｂの上側の表面が図１の底面１ａに相当するものとなる。シート１ｂの上側の表面である底面１ａに壁面部材２の最下面２ｂが接触するように、壁面部材２が設置される。これにより、図５においても図１と同様に、シート１ｂの上側の表面である底面１ａの一部分を囲むように、底面１ａ上に壁面部材２が載置される。なおシート１ｂとしては、一般公知の防水シートが用いられてもよい。より具体的には、たとえばシート１ｂとしては、ポリエチレンなどの合成樹脂製のブルーシートが用いられてもよい。あるいはシート１ｂとしては、一般公知のいわゆるポリシートが用いられてもよい。
【００２８】
次に、図６の比較例を参照しながら、本実施の形態の作用効果について説明する。
本実施の形態に係る支持構造体１０は、壁面部材２と、被膜部材３とを備える。壁面部材２は、底面１ａの一部分を囲むように、底面１ａ上に載置される。被膜部材３は、壁面部材２の壁面としての内壁２ａと、底面１ａとの境界部２ｃを覆う。
【００２９】
たとえばプールを構成する支持構造体が、壁面部材に加え、その底面部分を構成する底面部材を有し、これらが一体となった構成を有すれば、底面部材を有する分だけ、当該支持構造体の全体の重量が増加する。また底面部材を有する分だけ、当該支持構造体の材料費が増加するため、製造コストが高騰するという問題がある。
【００３０】
そこで本実施の形態の支持構造体１０は、底面部材を有さず、壁面部材２のみが部材として含まれる。壁面部材２が載置される基盤１の表面、あるいは基盤１上のシート１ｂの表面である底面１ａが底面部材として用いられる。これにより、支持構造体１０が底面部材を有さずたとえば壁面部材２のみを有する分だけ、仮に支持構造体１０が底面部材を有する場合と比較して、当該支持構造体１０の構成部材の全体の重量を削減することができる。また支持構造体１０が底面部材を有さない分だけ、仮に支持構造体１０が底面部材を有する場合と比較して、当該支持構造体１０の材料費を削減できるため、製造コストを削減できる。
【００３１】
次に、図６は、比較例に係る支持構造体の構成を示す概略断面図である。図６を参照して、比較例に係る支持構造体２０の構成は基本的に上記支持構造体１０の構成と同様であるため、同一の構成要素には同一の符号を付しその説明を繰り返さない。ただし支持構造体２０においては、壁面部材２の内壁２ａと底面１ａとの境界部２ｃを覆う被膜部材３が備えられていない。この点において支持構造体２０は、被膜部材３が備えられる支持構造体１０とは構成上異なっている。
【００３２】
支持構造体２０のように被膜部材３が備えられなければ、壁面部材２の最下面２ｂは底面１ａに対し何ら固定されない。このため支持構造体２０内の容積部分に水４が投入されることにより、壁面部材２には基盤１に対して上方に向かう図中矢印の浮力Ｆが生じる。これにより壁面部材２の最下面２ｂが基盤１の底面１ａから離れるように上方に浮かぶ。したがって最下面２ｂと底面１ａとの間に隙間が生じ、当該隙間を通って水４が図中矢印で示すＬのように外側に漏れだす不具合が起こり得る。
【００３３】
しかし本実施の形態の支持構造体１０においては、壁面部材２の壁面である内壁２ａと、基盤１の底面１ａとの境界部２ｃを覆う被膜部材３を備えている。被膜部材３が境界部２ｃをシールすることにより、支持構造体１０の壁面部材２には図６のような浮力Ｆは生じない。したがって壁面部材２の最下面２ｂは底面１ａに接触した状態を保ち、そこから離れることがない。このため支持構造体１０内の容積部分の水４が最下面２ｂの下から漏れる不具合を抑制できる。
【００３４】
上記支持構造体１０において、被膜部材３は、水に対して不透性を有する材料からなることが好ましい。これにより、支持構造体１０内の容積部分の水４が、被膜部材３を透過して、最下面２ｂの下から漏れる不具合を抑制できる。
【００３５】
上記支持構造体１０において、被膜部材３の厚みは１ｍｍ以下であることが好ましい。これにより、支持構造体１０内の容積部分の水４が、被膜部材３を透過して、最下面２ｂの下から漏れる不具合を抑制できる。
【００３６】
本実施の形態に係る支持構造体の製造方法においては、基盤１の底面１ａの一部分を囲むように、底面１ａ上に壁面部材２が載置される。底面１ａと壁面部材２の壁面としての内壁２ａとの境界部２ｃを覆うように、被膜部材３が配置される。このように製造することにより、底面部材を有さない分だけ、当該支持構造体１０の構成部材の全体の重量を削減することができる。また底面部材を有さない分だけ、当該支持構造体１０の材料費を削減できるため、製造コストを削減できる。またこのように製造すれば、被膜部材３が境界部２ｃをシールすることにより、支持構造体１０の壁面部材２には図６のような浮力Ｆは生じない。したがって壁面部材２の最下面２ｂは底面１ａに接触した状態を保ち、そこから離れることがない。このため支持構造体１０内の容積部分の水４が最下面２ｂの下から漏れる不具合を抑制できる。
【００３７】
また本実施の形態の支持構造体１０およびその製造方法によれば、基盤１の底面１ａ上に単に壁面部材２を載置し、底面１ａと内壁２ａとの境界部２ｃを覆う被膜部材３が設けられるのみで施工が完了する。つまり、たとえば上記の各公報に開示するような複雑なプロセスを行なう必要がない。本実施の形態では、コンクリート、木材などの壁面部材２を比較的平らに均した基盤１上に置き、被膜部材３を設けるのみで、最下面２ｂと底面１ａとの間の領域への水４の漏洩、およびそれによる壁面部材２への浮力の発生が抑制できる。したがってプロセスを大幅に簡略化できることから、製造コストを大幅に削減できる。
【００３８】
さらに本実施の形態において、たとえば壁面部材２として図２のような断熱部材を含むパネル材４１が貼り付けられた材料が用いられれば、以下のような効果をさらに奏する。たとえば水槽用の支持構造体１０の壁面部材２が断熱性を有するため、水４の温度を一定に保つ恒温効果が高められる。このため支持構造体１０を温泉用に用いれば、水４の温度が下がりにくい、冷めにくい浴槽として用いることができる。
【００３９】
以上に記載した各特徴を、技術的に矛盾のない範囲で適宜組み合わせるように適用してもよい。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４１】
１  基盤、１ａ  底面、１ｂ  シート、２  壁面部材、２ａ  内壁、２ｂ  最下面、２ｃ  境界部、２ｓ  外壁、３  被膜部材、４  水、１０，１１，１２，２０  支持構造体、４１  パネル材、４１ａ  板材、４１ｂ  断熱部材、４２  コンクリート壁。
【要約】
【課題】より簡略化された製造工程により、低コストで充分な機能を有するプールなどの支持構造体、およびその製造方法を提供する。
【解決手段】支持構造体１０は、壁面部材２と、被膜部材３とを備える。壁面部材２は、底面１ａの一部分を囲むように、底面１ａ上に載置される。被膜部材３は、壁面部材２の壁面としての内壁２ａと、底面１ａとの境界部２ｃを覆う。
【選択図】図１【図１】
0006758678.tif 000002
【図２】
0006758678.tif 000003
【図３】
0006758678.tif 000004
【図４】
0006758678.tif 000005
【図５】
0006758678.tif 000006
【図６】
0006758678.tif 000007